(57)【特許請求の範囲】
【請求項１】
回転する駆動軸と従動軸とを有し、それぞれの該軸の支持部にベアリング及び潤滑剤が外部へ流出しないためのシール手段とが配される電動工具において、前記駆動軸または前記駆動軸に固定された部材に潤滑剤を吸収放出可能な材料からなるシール円板とシールワッシャとを設け、前記駆動軸をケーシングに組立ることにより前記シール円板の内周が前記駆動軸または前記駆動軸に固定された部材と密接し、且つ前記シール円板の外周が前記ケーシングの保持部内周に密接し、更に前記シール円板が前記シールワッシャと前記ベアリングとにより所定量軸方向に押圧されることを特徴とする電動工具。
【請求項２】
前記駆動軸または前記駆動軸に固定された部材に凸部を設け、前記駆動軸または前記駆動軸に固定された部材に前記シールワッシャと前記シール円板と前記ベアリングを組立てた状態で前記凸部により前記シールワッシャを介して前記シール円板が軸方向に押圧され、さらに、前記駆動軸または前記駆動軸に固定された部材に前記シールワッシャと前記シール円板と前記ベアリングを組立てた状態で前記凸部により前記シールワッシャを介して前記シール円板が軸方向に押圧された状態で、前記ケーシングに組立てることにより更に前記シール円板が軸方向に押圧され、前記シールワッシャが前記凸部から所定量離れるよう構成したことを特徴とする請求項１記載の電動工具。
【請求項３】
前記シールワッシャの内周と前記駆動軸または前記駆動軸に固定された部材とのスキマを前記シールワッシャと前記ケーシングの保持部内周とのスキマより大きく構成したことを特徴とする請求項１または請求項２の何れか記載の電動工具。
【発明の詳細な説明】
【０００１】
【発明の属する技術分野】
本発明は、高速回転する駆動軸と従動軸を備え、それぞれの軸の支持部にベアリングと低粘度の潤滑剤が外部へ流出させないためのシール手段を備えた伝動装置ケーシングを有する手持ち式電動工具、特にディスクグラインダの伝動装置ケーシングのシール構造に関するものである。
【０００２】
【従来の技術】
従来のディスクグラインダは、図５及び図６に示すように駆動軸であるモータ軸２にベアリング３とカバー５を有し、ケーシング４にネジ１３により固定されている。ベアリング３の内側には、フェルト製のシール円板９とこのシール円板９の外周と両側面を覆いシール円板９を所定量圧縮する鉄製のケース１４とからなるシールパッキン１５がケーシング４に圧入されており、且つシール円板９がモータ軸２に接触するよう構成することでケーシング４のシール手段となっていた。つまり、シールパッキン１５のケース１４をケーシング４に圧入することでシールパッキン１５とケーシング４の間をシールし、シール円板９を所定量圧縮し潤滑剤を所定量吸収することで潤滑剤の透過を防止し、シール円板９がモータ軸２に接触することでシール円板９とモータ軸２の間をシールしていた。
【０００３】
【発明が解決しようとする課題】
上記シール手段（シール円板９とケース１４からなるシールパッキン１５）は、シール円板９を所定量圧縮してケース１４で固定し、且つケース１４外周を圧入に対応する高精度とすること、そしてケーシング４も圧入に対応する高精度としているため製造上コスト高となっていた。更にシールパッキン１５をケーシング４に圧入するため、モータ軸２をケーシング４に組込んだ後に狭いケーシング４内でピニオン６を組立てナット７で固定する必要があり組立に時間がかかり製造コスト高となっていた。
【０００４】
本発明の目的は、上記問題を解消し、組立性に優れた安価なシール手段を有する電動工具を提供することである。
【０００５】
【課題を解決するための手段】
上記目的は、回転する駆動軸と従動軸とを有し、それぞれの該軸の支持部にベアリング及び潤滑剤が外部へ流出しないためのシール手段とが配される電動工具において、前記駆動軸または前記駆動軸に固定された部材に潤滑剤を吸収放出可能な材料からなるシール円板とシールワッシャとを設け、前記駆動軸をケーシングに組立ることにより前記シール円板の内周が前記駆動軸または前記駆動軸に固定された部材と密接し、且つ前記シール円板の外周が前記ケーシングの保持部内周に密接し、更に前記シール円板が前記シールワッシャと前記ベアリングとにより所定量軸方向に押圧されることにより達成される。
【０００６】
また、上記目的は、前記駆動軸または前記駆動軸に固定された部材に凸部を設け、前記駆動軸または前記駆動軸に固定された部材に前記シールワッシャと前記シール円板と前記ベアリングを組立てた状態で前記凸部により前記シールワッシャを介して前記シール円板が軸方向に押圧され、さらに、前記駆動軸または前記駆動軸に固定された部材に前記シールワッシャと前記シール円板と前記ベアリングを組立てた状態で前記凸部により前記シールワッシャを介して前記シール円板が軸方向に押圧された状態で、前記ケーシングに組立てることにより更に前記シール円板が軸方向に押圧され、前記シールワッシャが前記凸部から所定量離れるよう構成したことにより達成される。
【０００７】
【発明の実施の形態】
本実施例におけるシール手段を備えた伝動装置ケーシングを有する手持ち式電動工具を図１〜図４を用いて説明する。モータ１の駆動により回転するモータ軸２にベアリング３が圧入されており、モータ軸２をベアリング３を介してケーシング４に固定するカバー５が設けられている。モータ軸２の先端にはピニオン６がナット７により固定されている。ピニオン６のボス部外周６ａには、シールワッシャ８とフェルト製のシール円板９が設けられている。モータ軸２はケーシング４内に貫通しており、ケーシング４内にはピニオン６と噛み合うギヤ１０が従動軸１１に固定されており、図示しない潤滑剤１２が充填されている。また、ケーシング４内には、シールワッシャ８とシール円板９に対応する保持部４ａが設けられている。
【０００８】
上記構成において、図２に示すようにモータ軸２にベアリング３，カバー５，ピニオン６，ナット７，シールワッシャ８及びシール円板９を組立てた状態でケーシング４に挿入し、カバー５をネジ１３で固定すると、ケーシング４の保持部４ａの側面にシールワッシャ８が接触し固定されと共に、シール円板９の外周が保持部４ａの内周に接触し、且つシールワッシャ８とベアリング３によりシール円板９が所定量圧縮(本実施例では６ｍｍから３ｍｍに圧縮)されることにより、更にシール円板９がピニオン６のボス部外周６ａ及び保持部４ａの内周に密に接触し回転不能に固定される。
【０００９】
従って、シール円板９内周とボス部外周６ａ及びシール円板９外周と保持部４ａの内周がシールされ、シール円板９を所定量圧縮し潤滑剤１２を所定量吸収することで潤滑剤１２の透過を防止する組立て性の良い安価なシール手段を得ることができる。
【００１０】
また、図３及び図４に示すようにピニオン６のボス部外周６ａに凸部６ｂを設け、図４に示すようにモータ軸２にベアリング３，カバー５，ピニオン６，ナット７，シールワッシャ８及びシール円板９を組立てた状態で、凸部６ｂによりシールワッシャ８とベアリング３によりシール円板９が所定量圧縮(本実施例では６ｍｍから４．５ｍｍに圧縮)されるよう構成すると、ケーシング４に挿入する際にシールワッシャ８及びシール円板９が半径方向にずれるのを防止でき組立て性を向上することができる。
【００１１】
更にシールワッシャ８の内周とピニオン６のボス部外周６ａのスキマをシールワッシャ８の外周とケーシング４の保持部４ａの内周のスキマより大きくすることにより、組立て時にシールワッシャ８が半径方向にずれても、ピニオン６のボス部外周６ａに接触せず安定したシール性を維持できる。
【００１２】
【発明の効果】
本発明によれば、組立性に優れた安価なシール手段を有する電動工具を提供することができる。
【図面の簡単な説明】
【図１】  本発明における伝動装置ケーシングを有するディスクグラインダの一例を示す正面断面図である。
【図２】  図１のモータ軸部を示す正面断面図である。
【図３】  本発明における伝動装置ケーシングを有するディスクグラインダの一例を示す正面断面図である。
【図４】  図３のモータ軸部を示す正面断面図である。
【図５】  従来における伝動装置ケーシングを有するディスクグラインダの正面断面図である。
【図６】  図５のモータ軸部を示す正面断面図である。
【符号の説明】
２はモータ軸、３はベアリング、４はケーシング、４ａは保持部、５はカバー、６はピニオン、６ａはボス部外周、６ｂは凸部，８はシールワッシャ、９はシール円板である。
【図１】
0003855735.tif 000002
【図２】
0003855735.tif 000003
【図３】
0003855735.tif 000004
【図４】
0003855735.tif 000005
【図５】
0003855735.tif 000006
【図６】
0003855735.tif 000007